【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
記録媒体に画像を形成する電子写真画像形成装置に用いられるクリーニング装置において、
枠体と、
電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、を有するホルダと、を有するクリーニング部材と、
を有し、
前記枠体は、前記係合部と係合する第一の受け部を有する第一の枠体と、前記弾性ブレードの厚み方向において、前記第一の枠体とは反対側から前記係合部と係合する第二の受け部を有する第二の枠体と、を有することを特徴とするクリーニング装置。
【請求項２】
請求項１に記載のクリーニング装置において、前記ホルダの形状は円柱であり、前記係合部は前記円柱の周表面に設けられて、さらに、前記支持部は前記クリーニング部材の長手方向に沿って前記円柱の周表面に設けられた溝であることを特徴とするクリーニング装置。
【請求項３】
請求項２に記載のクリーニング装置において、前記電子写真感光体が回転した際に、前記クリーニング部材が前記係合部を中心に回転するのを規制するために、前記弾性ブレードは前記枠体に設けられた規制部と当接することを特徴とするクリーニング装置。
【請求項４】
請求項３に記載のクリーニング装置において、更に、クリーニング装置は、前記弾性ブレードを前記枠体に付勢するための付勢部材を有することを特徴とするクリーニング装置。
【請求項５】
請求項１乃至４のいずれかに記載のクリーニング装置において、前記係合部は、前記クリーニング部材の長手方向において前記クリーニング部材の略全域で前記枠体と係合することを特徴とするクリーニング装置。
【請求項６】
請求項１乃至４のいずれかに記載のクリーニング装置において、前記係合部は、前記クリーニング部材の長手方向において前記係合部の一端側、他端側、及び、前記一端側と前記他端側との間の位置で前記枠体と係合することを特徴とするクリーニング装置。
【請求項７】
請求項１に記載のクリーニング装置において、前記第二の枠体は、前記弾性ブレードによって、前記電子写真感光体の表面から除去した現像剤を前記長手方向に沿って搬送するスクリューを有することを特徴とするクリーニング装置。
【請求項８】
請求項１に記載のクリーニング装置において、前記ホルダーは、前記枠体と当接して、前記クリーニング部材の長手方向の位置の規制をおこなう端面を有することを特徴とするクリーニング装置。
【請求項９】
記録媒体に画像を形成する電子写真画像形成装置本体に取り外し可能に装着されるプロセスカートリッジにおいて、
枠体と、
電子写真感光体と、
前記電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、を有するホルダと、を有するクリーニング部材と、
を有し、
前記枠体は、前記係合部と係合する第一の受け部を有する第一の枠体と、前記弾性ブレードの厚み方向において、前記第一の枠体とは反対側から前記係合部と係合する第二の受け部を有する第二の枠体と、を有することを特徴とするプロセスカートリッジ。
【請求項１０】
請求項９に記載のプロセスカートリッジにおいて、前記ホルダの形状は円柱であり、前記係合部は前記円柱の周表面に設けられて、さらに、前記支持部は前記クリーニング部材の長手方向に沿って前記円柱の周表面に設けられた溝であることを特徴とするプロセスカートリッジ。
【請求項１１】
請求項１０に記載のプロセスカートリッジにおいて、前記電子写真感光体が回転した際に、前記クリーニング部材が前記係合部を中心に回転するのを規制するために、前記弾性ブレードは前記枠体に設けられた規制部と当接することを特徴とするプロセスカートリッジ。
【請求項１２】
請求項１１に記載のプロセスカートリッジにおいて、更に、クリーニング装置は、前記弾性ブレードを前記枠体に付勢するための付勢部材を有することを特徴とするプロセスカートリッジ。
【請求項１３】
請求項９乃至１２のいずれかに記載のプロセスカートリッジにおいて、前記係合部は、前記クリーニング部材の長手方向において前記係合部の略全域で前記枠体と係合することを特徴とするプロセスカートリッジ。
【請求項１４】
請求項９乃至１２のいずれかに記載のプロセスカートリッジにおいて、前記係合部は、前記クリーニング部材の長手方向において前記係合部の一端側、他端側、及び、前記一端側と前記他端側との間の位置で前記枠体と係合することを特徴とするプロセスカートリッジ。
【請求項１５】
請求項９に記載のプロセスカートリッジにおいて、前記第二の枠体は、前記弾性ブレードによって、前記電子写真感光体の表面から除去した現像剤を前記クリーニング部材の長手方向に沿って搬送するスクリューを有することを特徴とするプロセスカートリッジ。
【請求項１６】
請求項９に記載のプロセスカートリッジにおいて、前記ホルダは、前記枠体と当接して、前記クリーニング部材の長手方向の位置の規制をおこなう端面を有することを特徴とするプロセスカートリッジ。
【請求項１７】
記録媒体に画像を形成する電子写真画像形成装置に用いられる、電子写真感光体から現像剤を除去するクリーニング部材であって、
電子写真感光体と接触して、前記電子写真感光体の表面から現像剤を除去する弾性ブレードと、
前記弾性ブレードを支持するホルダであって、クリーニング装置が有する枠体に前記クリーニング部材を固定する為に前記枠体と係合する係合部と、前記弾性ブレードの厚み方向において前記係合部の内側で、前記弾性ブレードを挟み込んで支持する支持部と、前記枠体と当接して、前記クリーニング部材の長手方向の位置の規制をおこなう端面と、を有するホルダと、
を有することを特徴とするクリーニング部材。
【請求項１８】
請求項１７に記載のクリーニング部材において、前記ホルダの形状は円柱であり、前記係合部は前記円柱の周表面に設けられて、さらに、前記支持部は前記クリーニング部材の長手方向に沿って前記円柱の周表面に設けられた溝であることを特徴とするクリーニング部材。
【請求項１９】
請求項１７に記載のクリーニング部材において、前記係合部は、前記クリーニング部材の長手方向においての前記クリーニング部材の略全域で前記枠体と係合することを特徴とするクリーニング部材。
【請求項２０】
請求項１７に記載のクリーニング部材において、前記係合部は、前記クリーニング部材の長手方向において前記係合部の一端側、他端側、及び、前記一端側と前記他端側との間の位置で前記枠体と係合することを特徴とするクリーニング部材。
【請求項２１】
記録媒体に画像を形成する電子写真画像形成装置において、
（ａ）電子写真感光体と、
（ｂ）前記電子写真感光体の表面に形成された潜像を現像するための現像手段と、
（ｃ）枠体と、
前記電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、前記枠体と当接して、前記クリーニング部材の長手方向の位置の規制をおこなう端面と、を有するホルダと、を有するクリーニング部材と、
を有するクリーニング装置と、
（ｄ）前記記録媒体を搬送する搬送手段と、
を有することを特徴とする電子写真画像形成装置。
【手続補正２】
【補正対象書類名】明細書
【補正対象項目名】０００１
【補正方法】変更
【補正の内容】
【０００１】
本発明は、クリーニング部材、クリーニング装置、プロセスカートリッジ、及び、電子写真画像形成装置に関する。
【手続補正３】
【補正対象書類名】明細書
【補正対象項目名】００１１
【補正方法】変更
【補正の内容】
【００１１】
そこで、本発明の目的は、クリーニング部材の小型化を実現したクリーニング装置、プロセスカートリッジ、電子写真画像形成装置、及びそのクリーニング部材を提供することにある。
【手続補正４】
【補正対象書類名】明細書
【補正対象項目名】００１２
【補正方法】変更
【補正の内容】
【００１２】
また、本発明の他の目的は、電子写真感光体に対するクリーニング部材の高精度な位置決めを実現したクリーニング装置、プロセスカートリッジ、電子写真画像形成装置、及びそのクリーニング部材を提供することにある。
【手続補正５】
【補正対象書類名】明細書
【補正対象項目名】００１３
【補正方法】変更
【補正の内容】
【００１３】
また、本発明の他の目的は、クリーニング部材を小型化し、さらに、電子写真感光体に対するクリーニング部材の高精度な位置決めを実現したクリーニング装置、プロセスカートリッジ、電子写真画像形成装置、及びそのクリーニング部材を提供することにある。
【手続補正６】
【補正対象書類名】明細書
【補正対象項目名】００１４
【補正方法】変更
【補正の内容】
【００１４】
本発明に係るクリーニング装置の代表的な構成は、記録媒体に画像を形成する電子写真画像形成装置に用いられるクリーニング装置において、枠体と、電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、を有するホルダと、を有するクリーニング部材と、を有し、前記枠体は、前記係合部と係合する第一の受け部を有する第一の枠体と、前記弾性ブレードの厚み方向において、前記第一の枠体とは反対側から前記係合部と係合する第二の受け部を有する第二の枠体と、を有することを特徴とするクリーニング装置である。
【手続補正７】
【補正対象書類名】明細書
【補正対象項目名】００１５
【補正方法】変更
【補正の内容】
【００１５】
また、本発明に係るプロセスカートリッジの代表的な構成は、記録媒体に画像を形成する電子写真画像形成装置本体に取り外し可能に装着されるプロセスカートリッジにおいて、枠体と、電子写真感光体と、前記電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、を有するホルダと、を有するクリーニング部材と、を有し、前記枠体は、前記係合部と係合する第一の受け部を有する第一の枠体と、前記弾性ブレードの厚み方向において、前記第一の枠体とは反対側から前記係合部と係合する第二の受け部を有する第二の枠体と、を有することを特徴とするプロセスカートリッジである。
【手続補正８】
【補正対象書類名】明細書
【補正対象項目名】００１６
【補正方法】変更
【補正の内容】
【００１６】
また、本発明に係る電子写真画像形成装置の代表的な構成は、記録媒体に画像を形成する電子写真画像形成装置において、（ａ）電子写真感光体と、（ｂ）前記電子写真感光体の表面に形成された潜像を現像するための現像手段と、（ｃ）枠体と、前記電子写真感光体から現像剤を除去するクリーニング部材であって、前記電子写真感光体と接触して、前記電子写真感光体の表面から現像剤を除去する弾性ブレードと、前記弾性ブレードを支持するホルダであって、前記枠体に前記クリーニング部材を固定する為に前記枠体と係合する係合部と、前記弾性ブレードの厚み方向において前記係合部の内側で、前記弾性ブレードを挟み込んで支持する支持部と、前記枠体と当接して、前記クリーニング部材の長手方向の位置の規制をおこなう端面と、を有するホルダと、を有するクリーニング部材と、を有するクリーニング装置と、（ｄ）前記記録媒体を搬送する搬送手段と、を有することを特徴とする電子写真画像形成装置である。
【手続補正９】
【補正対象書類名】明細書
【補正対象項目名】００１７
【補正方法】変更
【補正の内容】
【００１７】
また、本発明に係るクリーニング部材の代表的な構成は、記録媒体に画像を形成する電子写真画像形成装置に用いられる、電子写真感光体から現像剤を除去するクリーニング部材であって、電子写真感光体と接触して、前記電子写真感光体の表面から現像剤を除去する弾性ブレードと、前記弾性ブレードを支持するホルダであって、クリーニング装置が有する枠体に前記クリーニング部材を固定する為に前記枠体と係合する係合部と、前記弾性ブレードの厚み方向において前記係合部の内側で、前記弾性ブレードを挟み込んで支持する支持部と、前記枠体と当接して、前記クリーニング部材の長手方向の位置の規制をおこなう端面と、を有するホルダと、を有することを特徴とするクリーニング部材である。